(57)【要約】      （修正有）【課題】遊技店に携帯品を持って来店した際に携帯品が汚れたり、遊技の邪魔になったり、あるいは盗難の被害に遭わないようにするために、携帯品を収容することができる遊技機用いすを提供する。【解決手段】底部材と左右の側部材とによって正面視略Ｕ字状に形成されたフレーム本体及び側部材上部に一体に形成された座板受部２５を有する主フレーム２０と、フレーム本体の外側に箱状に形成された上部開口３１を有する携帯品収容部３０と、フレーム本体の底部材に対して固着された脚部４０と、主フレーム２０の座板受部２５に載置され携帯品収容部３０の上部開口３１を開閉自在に覆う座板部材５０と、主フレーム２０の上部の左右両側に延設された側部フレーム６０と、携帯品収容部３０の後部から立設され側部フレーム６０に固着された背もたれ部７０と、側部フレーム６０の少なくとも一側に形成された肘掛け部８０を有する。【選択図】図１
0003116463.tif 000002
【実用新案登録請求の範囲】
【請求項１】
パチンコ遊技機又はスロットマシン遊技機等のための遊技場床部に固設される遊技機用いすであって、
底部材と左右の側部材とによって正面視略Ｕ字状に形成されたフレーム本体及び前記側部材上部に一体に形成された座板受部を有する主フレームと、
前記フレーム本体の外側に箱状に形成された上部開口を有する携帯品収容部と、
前記フレーム本体の底部材に対して固着された脚部と、
前記主フレームの座板受部に載置され前記携帯品収容部の上部開口を開閉自在に覆う座板部材と、
前記主フレームの上部の左右両側に延設された側部フレームと、
前記携帯品収容部の後部から立設され前記側部フレームに固着された背もたれ部と、
前記側部フレームの少なくとも一側に形成された肘掛け部
を有することを特徴とする遊技機用いす。
【請求項２】
前記座板部材が座ベースと座クッションよりなり、前記座ベースに面ファスナー部が備えられており、前記座クッションに前記面ファスナー部に対して着脱自在な被着部が備えられている請求項１に記載の遊技機用いす。
【請求項３】
前記座板部材が前記携帯品収容部の前側にヒンジ部を介して連接されている請求項１又は２に記載の遊技機用いす。
【請求項４】
前記携帯品収容部の平面形状が前記座板部材の平面形状とほぼ等しい大きさである請求項１ないし３の何れか１項に記載の遊技機用いす。
【考案の詳細な説明】
【技術分野】
【０００１】
この考案はパチンコ遊技機又はスロットマシン遊技機等のための床部に固設される遊技機用いすに関する。
【背景技術】
【０００２】
例えばパチンコホール等の遊技店では、各遊技機（台）の正面に遊技機用いすが配置される。この種の遊技機用いすは、各遊技者が整然と遊技を楽しむことができるように、いすの脚部が所定の間隔でホールの床部に固設されている。
【０００３】
ところで、遊技店で遊技を楽しむ遊技者の中には、カバン等の携帯品を持って来店する者が少なくない。そして、携帯品を持ち込んだ遊技者は、足下の床や膝の上等に携帯品を置いて遊技を行う。このように、携帯品を持ち込んで遊技を行う場合、携帯品が汚れてしまったり、遊技者自身や他の遊技者の遊技の邪魔になって遊技に集中できなくなるおそれがある。また、特に、携帯品を床に置いた場合では、遊技中に携帯品が盗難される危険もあり、安心して遊技を楽しむことができない。
【考案の開示】
【考案が解決しようとする課題】
【０００４】
この考案は、このような状況に鑑み提案されたものであって、遊技店に携帯品を持って来店した際に携帯品が汚れたり、遊技の邪魔になったり、あるいは盗難の被害に遭わないようにするために、携帯品を収容することができる遊技機用いすを提供することを目的とする。
【課題を解決するための手段】
【０００５】
すなわち、請求項１の考案は、パチンコ遊技機又はスロットマシン遊技機等のための遊技場床部に固設される遊技機用いすであって、底部材と左右の側部材とによって正面視略Ｕ字状に形成されたフレーム本体及び前記側部材上部に一体に形成された座板受部を有する主フレームと、前記フレーム本体の外側に箱状に形成された上部開口を有する携帯品収容部と、前記フレーム本体の底部材に対して固着された脚部と、前記主フレームの座板受部に載置され前記携帯品収容部の上部開口を開閉自在に覆う座板部材と、前記主フレームの上部の左右両側に延設された側部フレームと、前記携帯品収容部の後部から立設され前記側部フレームに固着された背もたれ部と、前記側部フレームの少なくとも一側に形成された肘掛け部を有することを特徴とする遊技機用いすに係る。
【０００６】
請求項２の考案は、前記座板部材が座ベースと座クッションよりなり、前記座ベースに面ファスナー部が備えられており、前記座クッションに前記面ファスナー部に対して着脱自在な被着部が備えられている請求項１に記載の遊技機用いすに係る。
【０００７】
請求項３の考案は、前記座板部材が前記携帯品収容部の前側にヒンジ部を介して連接されている請求項１又は２に記載の遊技機用いすに係る。
【０００８】
請求項４の考案は、前記携帯品収容部の平面形状が前記座板部材の平面形状とほぼ等しい大きさである請求項１ないし３の何れか１項に記載の遊技機用いすに係る。
【考案の効果】
【０００９】
請求項１の考案に係るいすによれば、底部材と左右の側部材とによって正面視略Ｕ字状に形成されたフレーム本体及び前記側部材上部に一体に形成された座板受部を有する主フレームと、前記フレーム本体の外側に箱状に形成された上部開口を有する携帯品収容部と、前記フレーム本体の底部材に対して固着された脚部と、前記主フレームの座板受部に載置され前記携帯品収容部の上部開口を開閉自在に覆う座板部材と、前記主フレームの上部の左右両側に延設された側部フレームと、前記携帯品収容部の後部から立設され前記側部フレームに固着された背もたれ部と、前記側部フレームの少なくとも一側に形成された肘掛け部を有するため、遊技者が持ち込んだ携帯品を足下の床や膝の上等に置く必要がなくなり、携帯品が汚れることがなくて遊技の邪魔にもならず、しかも、盗難被害にも遭う心配がなくなるので、携帯品を持ち込んだ遊技者や他の遊技者が快適に遊技を楽しむことができる。
【００１０】
請求項２の考案によれば、請求項１において、前記座板部材が座ベースと座クッションよりなり、前記座ベースに面ファスナー部が備えられており、前記座クッションに前記面ファスナー部に対して着脱自在な被着部が備えられているため、座クッションが傷んだり汚れたりした際に、該座クッションの交換を簡単かつ容易にしかも経済的に行うことができる。
【００１１】
請求項３の考案によれば、請求項１又は２において、前記座板部材が前記携帯品収容部の前側にヒンジ部を介して連接されているため、限られた空間で効果的に座板部材を開閉することができ、前記座板部材の開閉時に他の遊技者の遊技を妨げることがない。
【００１２】
請求項４の考案によれば、請求項１ないし３において、前記携帯品収容部の平面形状が前記座板部材の平面形状とほぼ等しい大きさであるため、座板部材の下方の空間を有効に利用して大きいあるいは多くの携帯品を携帯品収容部に収容することが可能となる。
【考案を実施するための最良の形態】
【００１３】
以下添付の図面に従ってこの考案を詳細に説明する。図１はこの考案の一実施例を示す遊技機用いすの正面図、図２は図１の遊技機用いすの側面図、図３は座板部材が開放された状態の遊技機用いすの側面図、図４は携帯収容部の断面図、図５は図４のＡ−Ａ線での断面図、図６は座板部材の分解斜視図である。
【００１４】
図１ないし図３に示す本考案の一実施例に係る遊技機用いす１０は、パチンコ遊技機又はスロットマシン遊技機等のための遊技場床部Ｆに固設されるものであって、主フレーム２０と、携帯品収容部３０と、脚部４０と、座板部材５０と、側部フレーム６０と、背もたれ部７０と、肘掛け部８０を有する。
【００１５】
主フレーム２０は、図４及び図５に図示したように、底部材２２と左右の側部材２３，２３とによって正面視略Ｕ字状に形成されたフレーム本体２１及び前記側部材２３，２３上部に一体に形成された座板受部２５，２５を有する。この主フレーム２０は、当該遊技機用いす１０に座った遊技者の体重を支え得る強度を有するものとされ、金属板等によって構成される。図において、符号２４は後述の側部フレーム６０を取り付けるための取付部である。
【００１６】
携帯品収容部３０は、フレーム本体２１の外側に箱状に形成された上部開口３１を有するものである。実施例の携帯品収容部３０は、図４及び図５からよく理解されるように、合板等からなる箱状に形成された上部開口３１を有する箱状部材３２と、該箱状部材３２の外周側面を被覆するウレタン等からなるカバー部材３３とを有する。図中の符号３４は主フレーム２０の側部材２３と携帯収容部３０の箱状部材３２側部を固定する固定ボルト、３５は主フレーム２０の底部材２２と携帯収容部３０の箱状部材３２底部を固定する固定ボルトを表す。
【００１７】
脚部４０は、遊技場床部Ｆに固設されるとともに、フレーム本体２１の底部材２２に対して固着される。実施例では、図４及び図５に示すように、主フレーム２０の底部材２２と携帯収容部３０の箱状部材３２の底部とを貫通した前記固定ボルト３５によって、脚部４０の取付ベース４１が一体に固着されている。また、図示の例では、符号４２はスライドレール、４３はスライド部材を表し、当該遊技機用いす１０が前後方向にスライド自在となるように構成される。なお、図示しないが、スライド部材４３内には、スライドレール４２を常時前方に付勢するバネ部材が張設されている。
【００１８】
座板部材５０は、主フレーム２０の座板受部２５に載置され携帯品収容部３０の上部開口３１を開閉自在に覆うように構成される。この座板部材５０は、図６に図示しかつ請求項２の考案として規定したように、座ベース５１と座クッション５２よりなり、前記座ベース５１に面ファスナー部５３が備えられており、前記座クッション５２に前記面ファスナー部５３に対して着脱自在な被着部５４が備えられているため、座クッション５２が傷んだり汚れたりした際に、該座クッション５２の交換を簡単かつ容易にしかも経済的に行うことができる。
【００１９】
また、前記座板部材５０は、図１ないし図３に図示しかつ請求項３の考案として規定したように、携帯品収容部３０の前側にヒンジ部５５を介して連接することが好ましく勧められる。図示したことからよく理解されるように、携帯品収容部３０の前側にヒンジ部５５を設けることにより、限られた空間で効果的に座板部材５０を開閉することができ、前記座板部材５０の開閉時に他の遊技者の遊技を妨げることがない。
【００２０】
側部フレーム６０は、主フレーム２０の上部の左右両側に延設される。実施例の側部フレーム６０は、図１ないし図３に図示のように、当該遊技機用いす１０の右手側に側面視略コ字状の右側フレーム部材６１と、左手側に側面視略Ｌ字状の左側フレーム部材６２とからなる。図中の符号６３は右側フレーム部材６１を主フレーム２０の取付部２４に固定するためのボルト、６４は左側フレーム部材６２を主フレーム２０の取付部２４に固定するためのボルトである。
【００２１】
背もたれ部７０は、携帯品収容部３０の後部から立設され側部フレーム６０に固着されるように構成される。図１ないし図３において、符号７１は背もたれ部７０を右側フレーム部材６１に固着するためのボルト、７２は背もたれ部７０を左側フレーム部材７２に固着するためのボルトである。
【００２２】
肘掛け部８０は、遊技中に遊技者が肘を載せることが可能に構成されたものであって、側部フレーム６０の少なくとも一側に形成される。図示したことからよく理解されるように、実施例の肘掛け部８０は、右側フレーム部材６１の上部に形成される。図中の符号８１は肘掛け部８０を右側フレーム部材６１に取り付けるための取付部材である。
【００２３】
また、この遊技機用いす１０では、請求項４の考案として規定したように、携帯品収容部３０の平面形状を座板部材５０の平面形状とほぼ等しい大きさに構成することが好ましく勧められる。これにより、座板部材５０の下方の空間を有効に利用してより大きいあるいは多くの携帯品を携帯品収容部３０に収容することが可能となる。
【００２４】
以上の構成からなるこの考案の遊技機用いすにあっては、正面視略Ｕ字状に形成されたフレーム本体及び座板受部を有する主フレームと、フレーム本体の外側に箱状に形成された上部開口を有する携帯品収容部と、主フレームの座板受部に載置され携帯品収容部の上部開口を開閉自在に覆う座板部材とを有することにより、遊技者が持ち込んだ携帯品を足下の床や膝の上等に置く必要がなくなり、携帯品が汚れることがなくて遊技の邪魔にもならず、しかも、盗難被害にも遭う心配がなくなるので、携帯品を持ち込んだ遊技者や他の遊技者が快適に遊技を楽しむことができる。
【００２５】
なお、本考案の遊技機用いすは、前述の実施例のみに限定されるものではなく、考案の趣旨を逸脱しない範囲において構成の一部を適宜に変更して実施することができる。例えば、実施例の遊技機用いすでは、側部フレームを側面視略コ字状の右側フレーム部材と側面視略Ｌ字状の左側フレーム部材として、右側フレーム部材の上部に肘掛け部を形成するように構成したが、左側フレーム部材を側面視略コ字状に形成してその上部に他の肘掛け部を形成してもよい。
【図面の簡単な説明】
【００２６】
【図１】この考案の一実施例を示す遊技機用いすの正面図である。
【図２】図１の遊技機用いすの側面図である。
【図３】座板部材が開放された遊技機用いすの側面図である。
【図４】携帯収容部の断面図である。
【図５】図４のＡ−Ａ線での断面図である。
【図６】座板部材の分解図である。
【符号の説明】
【００２７】
１０  遊技用いす
２０  主フレーム
２１  フレーム本体
２２  底部材
２３  側部材
２５  座板受部
３０  携帯品収容部
３１  上部開口
４０  脚部
５０  座板部材
５１  座ベース
５２  座クッション
５３  面ファスナー
５４  被着部
５５  ヒンジ部
６０  側部フレーム
７０  背もたれ部
８０  肘掛け部
Ｆ  遊技場床部
【図１】
0003116463.tif 000003
【図２】
0003116463.tif 000004
【図３】
0003116463.tif 000005
【図４】
0003116463.tif 000006
【図５】
0003116463.tif 000007
【図６】
0003116463.tif 000008